(57)【特許請求の範囲】
【請求項１】
一枚板状のパネル板を、該パネル板よりも肉厚のパネル体の端縁部に縦枠材を介して取り付けるにあたり、該縦枠材には、パネル板を嵌合するための第一嵌合溝部と、パネル体の端縁部を支持する取り付け部材が嵌合する第二嵌合溝部とが内外に形成される一方、該縦枠材は、パネル板の上下端縁部を天井部、床部に支持すべく天井部、床部に固定された上下枠材に固定金具を介して取り付け固定されるものであり、さらにパネル板の横方向一方の端縁部が遊端状態で取り付けられるものである場合に、該遊端部となる端縁に設けられる縦枠材は、前記横方向一方の端縁が遊端となるパネル板を天井部、床部に支持するための上下枠材に取り付け固定することで同じものが用いられるようにするとともに、前記パネル体の端縁部を支持する取り付け部材は上下端縁部が天井部、床部から離間し、該離間する取り付け部材の上下端縁部を天井部、床部に固定される上下支持金具により支持する一方、該取り付け部材の上下端縁部を支持する上下支持金具と前記縦枠材を上下枠材に取り付け固定する固定金具とが締結されない構成にしたことを特徴とするパネル板の取り付け構造。
【請求項２】
前記固定金具は、Ｌ字形をし、一片が上下枠材に固定され、他片が縦枠材に固定されることを特徴とする請求項１記載のパネル板の取り付け構造。
【請求項３】
固定金具の一片は、上下枠材のパネル板嵌合溝の溝底片部に固定され、他片は、縦枠材の第一嵌合溝部の溝底片部に固定されることを特徴とする請求項２記載のパネル板の取り付け構造。
【請求項４】
パネル板の横方向一方の端縁が遊端となる部位に取り付けられる縦枠材は、第二嵌合溝部が塞ぎ部材で塞がれていることを特徴とする請求項１乃至３の何れか１記載のパネル板の取り付け構造。
【請求項５】
塞ぎ部材は、縦枠材の第一嵌合溝部の溝底片部側から螺入したビスにより固定されることを特徴とする請求項４記載のパネル板の取り付け構造。
【請求項６】
パネル体の端縁部は、該パネル体の端縁部から突出する取り付け部材を介して天井部、床部に支持されるものであり、パネル体端縁部と縦枠材とのあいだに間隙を存する状態で取り付け部材の突出部が縦枠材の第二嵌合溝部に嵌合固定されていることを特徴とする請求項１乃至５の何れか１記載のパネル板の取り付け構造。
【発明の詳細な説明】
【技術分野】
【０００１】
本発明は、ガラス板等の一枚板状の肉薄のパネル板を、壁面等の平面部の壁面、一対の表裏面板同士が離間した肉厚状のパネル体の端部、あるいは平面部やパネル体端部から離間して人や荷物の出入りができる状態で前記一枚板状のパネル板を取り付けるためのパネル板の取り付け構造の技術分野に関するものである。
【背景技術】
【０００２】
一般に、ガラス板等の一枚板状の肉薄のパネル板を間仕切りとして用いる場合に、該パネル板の左右何れか一方の端縁部を、壁面等の平面部に直接取り付ける仕様（壁エンド納まり仕様）、一対の表裏面板同士が離間した肉厚状のパネル体の端縁部に連結する仕様（パネル連結仕様）、そして平面部やパネル体端部から離間して人や荷物の出入りができるよう遊端状態で取り付ける仕様（エンド納まり仕様）があるが、パネル連結仕様とする場合、パネル体端縁部に、表裏（前後）方向に離間（対向）した脚片部を有する取り付け部材（支柱）を取り付け、該取り付け部材に外嵌する嵌合溝と、該嵌合溝の溝底部にパネル板が内嵌するもう一つの嵌合溝とが形成された縦枠材を用いて組み付けるようにしたものが提唱（特許文献１参照）されており、この縦枠材を用いて壁エンド納まり仕様にする場合に、壁面には、パネル体端縁部のように取り付け部材を取り付けるための平面状のスペースを確保できるため、パネル連結仕様に用いた縦枠材をそのまま利用して壁エンド納まり仕様にすることが考えられる。
【先行技術文献】
【特許文献】
【０００３】
【特許文献１】特開２００３−２６４５０号公報
【発明の概要】
【発明が解決しようとする課題】
【０００４】
しかしながら前記従来のものは、壁面やパネル体端縁部のないエンド納まりとする場合、遊端となる部位には、前記縦枠材とは異なる形状の第二の縦枠材を用いて取り付けている。この結果、縦枠材の点数が多くなって部品管理が煩雑になるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、一枚板状のパネル板を、該パネル板よりも肉厚のパネル体の端縁部に縦枠材を介して取り付けるにあたり、該縦枠材には、パネル板を嵌合するための第一嵌合溝部と、パネル体の端縁部を支持する取り付け部材が嵌合する第二嵌合溝部とが内外に形成される一方、該縦枠材は、パネル板の上下端縁部を天井部、床部に支持すべく天井部、床部に固定された上下枠材に固定金具を介して取り付け固定されるものであり、さらにパネル板の横方向一方の端縁部が遊端状態で取り付けられるものである場合に、該遊端部となる端縁に設けられる縦枠材は、前記横方向一方の端縁が遊端となるパネル板を天井部、床部に支持するための上下枠材に取り付け固定することで同じものが用いられるようにするとともに、前記パネル体の端縁部を支持する取り付け部材は上下端縁部が天井部、床部から離間し、該離間する取り付け部材の上下端縁部を天井部、床部に固定される上下支持金具により支持する一方、該取り付け部材の上下端縁部を支持する上下支持金具と前記縦枠材を上下枠材に取り付け固定する固定金具とが締結されない構成にしたことを特徴とするパネル板の取り付け構造である。
請求項２の発明は、前記固定金具は、Ｌ字形をし、一片が上下枠材に固定され、他片が縦枠材に固定されることを特徴とする請求項１記載のパネル板の取り付け構造である。
請求項３の発明は、固定金具の一片は、上下枠材のパネル板嵌合溝の溝底片部に固定され、他片は、縦枠材の第一嵌合溝部の溝底片部に固定されることを特徴とする請求項２記載のパネル板の取り付け構造である。
請求項４の発明は、パネル板の横方向一方の端縁が遊端となる部位に取り付けられる縦枠材は、第二嵌合溝部が塞ぎ部材で塞がれていることを特徴とする請求項１乃至３の何れか１記載のパネル板の取り付け構造である。
請求項５の発明は、塞ぎ部材は、縦枠材の第一嵌合溝部の溝底片部側から螺入したビスにより固定されることを特徴とする請求項４記載のパネル板の取り付け構造である。
請求項６の発明は、パネル体の端縁部は、該パネル体の端縁部から突出する取り付け部材を介して天井部、床部に支持されるものであり、パネル体端縁部と縦枠材とのあいだに間隙を存する状態で取り付け部材の突出部が縦枠材の第二嵌合溝部に嵌合固定されていることを特徴とする請求項１乃至５の何れか１記載のパネル板の取り付け構造である。
【発明の効果】
【０００６】
請求項１の発明とすることにより、パネル板を嵌合するための第一嵌合溝部と、パネル体の端縁部または平面部に設けた取り付け部材が嵌合する第二嵌合溝部とが内外に形成された縦枠材は，天井部、床部に固定された上下枠材に固定されるため自立状となり、この結果、パネル板が平面部およびパネル体端縁部から離間した遊端状態で取り付けられるものである場合に、該遊端に取付けられる縦枠材は、同様にして上下枠材に固定して自立させることができるため、同一のものを使用できることになって部品の統一化が図れ、部品管理も簡略化される。
請求項２の発明とすることにより、上下枠材と縦枠材との固定がＬ字形の固定金具を用いて簡単にできることになる。
請求項３の発明とすることにより、固定金具は、各片部がパネル板を嵌合するため上下枠材および縦枠材に形成の嵌合溝の溝底片部に固定されるため、パネル板に隠されたものとなって外部に露出してしまうことがなく、外観を損なうことがない。
請求項４の発明とすることにより、縦枠材を遊端として自立させた場合に外部に露出する第二嵌合溝部は塞ぎ部材によって塞がれることとなって外観性が向上する。
請求項５の発明とすることにより、塞ぎ部材を縦枠に固定するためのビスが外部に露出することがなく、外観性が損なわれることがない。
請求項６の発明とすることにより、肉厚のパネル体と肉薄のパネル板との取り付け固定が簡単になる。
【図面の簡単な説明】
【０００７】
【図１】間仕切りパネルの正面図である。
【図２】（Ａ）（Ｂ）はパネル連結仕様を示すものであって、方立、ジョイント材を用いてパネル板同士を連結した実施の形態を示す横断面図、（Ｃ）は壁エンド納まり仕様を示すものであって、シール材を用いてパネル板同士を連結した実施の形態を示す横断面図である。
【図３】パネル板部位の縦断面図である。
【図４】（Ａ）（Ｂ）（Ｃ）はパネル連結仕様を示すものであって、パネル板の上枠材部位の取り付け状態を示す正面図、固定金具取り付け部位の縦断面図、天井取り付け部位の縦断面図である。
【図５】（Ａ）（Ｂ）はパネル連結仕様を示すものであって、パネル板の縦枠材部位のパネル体取り付け部位を示す横断面図、固定金具取り付け部位を示す横断面図である。
【図６】（Ａ）（Ｂ）（Ｃ）はパネル連結仕様を示すものであって、パネル板の下枠材部位の取り付け状態を示す正面図、固定金具取り付け部位の縦断面図、床取り付け部位の縦断面図である。
【図７】エンド納まり仕様とした状態を示すものであって、（Ａ）（Ｂ）（Ｃ）（Ｄ）は上枠材部位の正面図、固定金具取り付け部位の横断面図、縦枠材の塞ぎ部材固定部位の横断面図、下枠材部位の正面図である。
【図８】（Ａ）は縦枠材の端面図、（Ｂ）は塞ぎ部材の端面図、（Ｃ）は上（下）枠材の端面図、（Ｄ）（Ｅ）は固定金具の側面図、平面図である。
【発明を実施するための形態】
【０００８】
以下、本発明の実施の形態について、図面に基づいて説明する。図面において、１は表裏面部（表裏面板１ｃ、１ｄがスチール板で構成されている。）１ａ、１ｂが離間した肉厚の間仕切り用のパネル体であって、該表裏面部１ａ、１ｂのあいだは、本実施の形態では中空状になっているが、芯材を充填してもよい。パネル体１の左右端縁部には、表裏面板１ｃ、１ｄが、前後方向に対向間隙Ｘを存し、コ字形に折返し形成された折曲片部１ｅ、１ｆが形成されており、この間隙Ｘに断面Ｃ型形状の取り付け部材（支柱）２の脚片部２ａが内嵌し、溝底片部２ｂがパネル体１の左右端縁部よりも左右方向内方に突出するようにして取り付けられている。尚、本実施の形態において、パネル厚方向を前後方向、パネル幅方向を左右方向と方向づけを行っているが、この方向づけは便宜上のものであって、本発明を特定するものでないことは勿論である。
【０００９】
一方、３はガラス板（アクリル板等の樹脂板であってもよい。）等の肉薄で一枚板状の間仕切り用のパネル板であって、該パネル板３の上下両端縁部は、上下の枠材４、５を介して天井部Ｈと床部Ｆとに取り付けられている。上枠材４は、本体部４ａと、ビス４ｂを介して該本体部４ａに固定される押し縁４ｃとで構成されるが、上枠材４には、パネル板３を嵌合するための嵌合溝４ｄが形成されている。該嵌合溝４ｄの天井部Ｈ側に設けられる溝底片部４ｅからビス４ｆを螺入することで上枠材４の天井部Ｈへの取り付け固定ができるようになっている。さらに嵌合溝４ｄの溝底部４ｇは、溝幅が溝開口側の溝幅よりも幅広になっていて後述する固定金具６の一片６ａを抜止め状に嵌合係止するようになっている。
また下枠材５についても上枠材４と同様であって、本体部５ａ、ビス５ｂを介して該本体部５ａに固定される押し縁５ｃを備えて構成され、パネル板３を嵌合するための嵌合溝５ｄの床部Ｆ側に設けられる溝底片部５ｅからアンカーボルト５ｆを螺入することで下枠材５の床部Ｆへの固定取り付けができるようになっている。さらに嵌合溝５ｄの溝底部５ｇは、溝幅が溝開口側の溝幅よりも幅広になっていて後述する固定金具６の一片６ａを抜止め状に嵌合係止するようになっている。
【００１０】
７はパネル体３の左右両端部に設けられる縦枠材であって、該縦枠材７は、左右方向内方にパネル板３を嵌合するための第一嵌合溝部（パネル板嵌合溝部）７ａと、左右方向外方に前記取り付け部材２を内嵌するための第二嵌合溝部７ｂとが形成されているが、第一嵌合溝部７ａの溝底片部７ｃは、第二嵌合溝部７ｂの溝底片部７ｄの前後方向中央部位と共通化される状態で形成されているが、第一嵌合溝部７ａの溝底部７ｃは、溝幅が溝開口側よりも幅狭となっていて、前記固定金具６の他片６ｂが嵌入できるようになっている。
さらに縦枠材７は、第一嵌合溝部７ａの開口端から前後方向に折曲する第一片部７ｆ、該第一片部７ｆの前後方向外端から左右方向外方に向けて折曲する第二片部７ｇ、該第二片部７ｇの左右方向外端が前後方向外方に向けて折曲する第三片部７ｈ、該第三片部７ｈの前後方向外端から左右方向外方に向けて折曲する第四片部７ｉ、該第四片部７ｉの左右方向外端から前後方向内方に向けて折曲され、左右方向内端が前記第二嵌合溝部７ｂの溝脚片部７ｊの左右方向外端に接続する第五片部７ｋを備えたフォロー形状（中空形状）に形成されている。
【００１１】
そして縦枠材７は、取り付け部材２のパネル体１端縁から突出する溝底部位（突出部であって、溝底片部２ｂと脚片部２ａの突出先端側部位）に第二嵌合溝部７ｂを外嵌させた状態（この場合、パネル体１の端縁と縦枠材７とのあいだに間隙を存した嵌合状態になっていて組み込み誤差等を吸収できるようになっている。）でビス７ｌを第一嵌合溝溝底片部７ｃから螺入することで取り付け部材２に取り付け固定できるようになっている。
このように取り付け部材２に取り付け固定された縦枠材７の上下端部に当接するようにして上下枠材４、５が組み込まれることになるが、上下枠材４、５の溝底部４ｇ、５ｇには、Ｌ字形をした前記固定金具６の一片６ａが抜止め状に嵌入係止されているが、該一片６ａは、ビス６ｃを介して上下枠材４、５の溝底片部４ｅ、５ｅに固定されている。そしてこの固定金具６の他片６ｂを、縦枠材７の溝底部７ｅに左右方向内方から嵌入させた状態で、該他片６ｂをビス６ｄを介して縦枠材第一嵌合溝溝底片部７ｃに固定すると共に、上下枠材４、５の溝底片部４ｅ、５ｅをビス４ｆ、アンカーボルト５ｆを介して天井部Ｈ、床部Ｆに固定することで、押し縁４ｃ、５ｃを取り外した状態での上下枠材（本体部４ａ、５ａ）４、５の取り付けができ、これにより縦枠材７の上下枠材４、５を介しての躯体側に対する取り付けができるようになっている。
因みに取り付け部材２の上下端縁部は、固定金具他片６ｂを縦枠材第一嵌合溝溝底片部７ｃに固定するためのビス６ｄ螺入位置までは至らない（天井部Ｈ、床部Ｆから離間した）短いものとして設定され、そしてビス１ｇ、１ｆを介して天井部Ｈ、床部Ｆにそれぞれ固定された上下支持金具１ｉ、１ｊが取り付け部材２の上下端縁部に嵌入するようになっており、これによって取り付け部材２の上下端縁部と天井部Ｈ、床部Ｆとのあいだの隙間を塞いでいるが、該上下支持金具１ｉ、１ｊはパネル板３側が開口した平面視でコ字形をしており、これによって前記固定金具他片６ｂを縦枠材第一嵌合溝溝底片部７ｃに固定するためのビス６ｄが上下支持金具１ｉ、１ｊに螺入することがないように設定されている。
【００１２】
そしてこのようにして縦枠材７、上下枠材４、５が取り付けられた状態でパネル板３の取り付けがなされるが、それにはパネル板３のパネル体１側左右端縁部を縦枠材７の第一嵌合溝７ａに嵌入すると共に、上下端縁部を上下枠本体部４ａ、５ａの嵌合溝４ｄ、５ｄの溝内側面に当てがった状態で押し縁４ｃ、５ｃを本体部４ａ、５ａに当てがい、ビス４ｂ、５ｂを介して固定することでパネル板３の上下枠材４、５、縦枠材７に対する取り付けができるようになっている。
尚、パネル板３同士を一連状に連結する構成として、方立８を用いて連結する場合（図２（Ａ）参照）、ジョイント材９を用いて連結する場合（図２（Ｂ）参照）、さらにはシール材１０を用いて連結する場合（図２（Ｃ）参照）が例示され、これらの何れを用いてもよいことは勿論である。
【００１３】
次に、パネル体３を壁面部Ｗに取り付ける場合（壁エンド納まり仕様）について説明する。そのため本実施の形態では、図２（Ｃ）に示す如く、前記パネル体１の端縁部にパネル板３を取り付ける際に用いた縦枠材７をそのまま用いているが、該縦枠材７の壁面部Ｗへの取り付けは次のようになっている。壁面部Ｗには、左右方向内方が開口した支持部材（本発明の平面部への「取り付け部材」に相当する。）１１の跨部１１ａをビス１１ｃを介して固定するが、支持部材１１の脚片部１１ｂは、縦枠材溝脚片部７ｊの内端部に摺接する寸法設定になっている。
一方、縦枠材７の第二嵌合溝部７ｂには、壁面部Ｗ側が開口した補助部材１２の跨部１２ａが内嵌した状態で、該跨部１２ａがビス１２ｃを介して第一嵌合溝溝底片部７ｃに固定されることで補助部材１２は縦枠材７に取り付けられているが、補助部材１２の脚片部１２ｂと第二嵌合溝部溝脚片部７ｊとのあいだには前記支持部材脚片部１１ｂが嵌入するだけの隙間が設けられている。
そして壁面部Ｗに固定された支持部材１１の脚片部１１ｂに、補助部材脚片部１２ｂと第二嵌合溝部溝脚片部７ｊとのあいだの隙間が外嵌するよう縦枠材７を組付けることで壁面部Ｗに対する縦枠材７の取り付けがなされ、該取り付けられた縦枠材７を固定金具６を介して前述したように上下枠材４、５に取り付け固定することで縦枠材の躯体側への取り付けができるようになっている。尚、本実施の形態では、支持部材１１と補助部材１２とは固定しない構成になっているが、壁面部Ｗと第五片部７ｋとのあいだの隙間を利用して脚片部同士１１ｂ、１２ｂをビス固定して一体化してもよいことは勿論である。
【００１４】
さらに次に、パネル板３を、壁面部Ｗやパネル体１の端縁部から離間した遊端状態で取り付ける仕様（エンド納まり仕様）について、図７を用いて説明するが、ここにおいても、前記縦枠材７をそのまま利用して取り付けるようになっている。縦枠材７は、前記と同様、固定金具６を介して上下枠材４、５に固定されることで天井部Ｈと床部Ｆとのあいだに自立する状態で躯体側に取り付けられることになるが、この場合に、そのままでは、固定金具他片６ｂを縦枠材７に固定するためのビス６ｄが突出した状態の第二嵌合溝部７ｂが外部に露出する。そこで本実施の形態では、第二嵌合溝部７ｂを塞ぐための塞ぎ部材１３を用いている。塞ぎ部材１３は、第五片部７ｋと面一状になる本体部１３ａと、該本体部１３ａの幅方向両端縁部から第二嵌合溝部７ｂの溝脚片部７ｊに近接対向する状態で第二嵌合溝部７ｂに嵌入する一対の第一脚片部１３ｂと、本体部１３ａの幅方向中央部位から第一嵌合溝７ａの溝底片部７ｃに向けて突出する一対の第二脚片部１３ｃと、該第二脚片部１３ｃの先端間を繋ぐ繋ぎ片部１３ｄとを備えて構成されており、そして塞ぎ部材１３は、第一、第二脚片部１３ｂ、１３ｃを第二嵌合溝部７ｂに嵌入した状態で第一嵌合溝部溝底片部７ｃから螺入したビス１３ｅにより縦枠材７に固定することで縦枠材７と塞ぎ部材１３とは一体化され、その後、前記固定金具他片６ｂを、前記一体化された縦枠材７および塞ぎ部材１３にビス６ｄを介して固定するようになっている。
【００１５】
叙述の如く構成された本発明の実施の形態において、肉厚のパネル体１の端縁部、壁面部Ｗに肉薄のパネル板３を取り付ける場合に、縦枠材７を用いて取り付けることになるが、該縦枠材７には、パネル板３を嵌合するための第一嵌合溝部７ａと、パネル体１の端縁部に設けた取り付け部材２または壁面部Ｗに設けた支持部材１１が嵌合する第二嵌合溝部７ｂとが内外に形成され、しかも該縦枠材７は、パネル板３の上下端縁部を天井部Ｈ、床部Ｆに支持すべく天井部Ｈ、床部Ｆに固定された上下枠材４、５に取り付け固定されることになるから、縦枠材７が自立したものとなり、この結果、パネル板３の横方向一方の端縁部が、壁面部Ｗやパネル体１の端縁部から離間した遊端状態で取り付けられるものである場合に、該遊端部となる端縁に設けられる縦枠材７は、前記パネル板３を天井部Ｈ、床部Ｆに支持するための上下枠材４、５に取り付け固定することで自立することになって、縦枠材７はどこに設けるものであっても同一のものを採用することができて、部品の統一性が図れ、部品管理が簡略化する。
【００１６】
しかもこの場合に、縦枠材と上下枠材との固定は、Ｌ字形をした固定金具６によって行われるため、固定作業がＬ字形の固定金具６を用いて簡単にできることになる。
そのうえ固定金具６は、各片部６ａ、６ｂがパネル板３を嵌合取り付けするため上下枠材４、５および縦枠材７に形成のパネル板嵌合溝４ｄ、５ｄ、７ａの溝底片部４ｅ、５ｅ、７ｃに固定されるため、パネル板３の組込み後においては、該パネル板３によって隠されたものとなって外部に露出してしまうことがなく、外観を損なうことがない。
【００１７】
また、遊端に自立状に取り付けた縦枠材７は、第二嵌合溝７ｂが外部に露出することになるが、該第二嵌合溝７ｂは、塞ぎ部材１３で塞がれるため外観性を損なうことがない。
しかもこと塞ぎ部材１３は、第一嵌合溝溝底片部７ｃから螺入したビス１３ｅにより縦枠材７に固定されるため、このビス１３ｅもパネル板３に隠れて外部に露出することがなく、外観性を損なうことがない。
そのうえパネル体１の端縁部は、該パネル体１の端縁部から突出する取り付け部材２を介して天井部Ｈ、床部Ｆに支持されるものであるが、この場合に、パネル体１の端縁部と縦枠材７とのあいだに間隙を存する状態で取り付け部材２の突出部となる溝底片部２ｂおよび脚片部２ａの突出端側部位が縦枠材７の第二嵌合溝部７ｂに嵌合固定されている結果、取り付け部材２と縦枠材７との取り付け固定が容易かつ確実になって組み込み作業の作業性が向上する。
【産業上の利用可能性】
【００１８】
本発明は、間仕切りパネル等のパネル板の取付け構造の分野に利用することができる。
【符号の説明】
【００１９】
１  パネル体
２  取り付け部材
２ａ  脚片部
３  パネル板
４  上枠材
４ａ  本体部
４ｃ  押し縁
４ｄ  嵌合溝
４ｅ  溝底片部
４ｆ  ビス
４ｇ  溝底部
５  下枠材
５ａ  本体部
５ｃ  押し縁
５ｄ  嵌合溝
５ｅ  溝底片部
５ｆアンカーボルト
５ｇ  溝底部
６  固定金具
６ａ  一片
６ｂ  他片  
７  縦枠材
７ａ  第一嵌合溝部
７ｂ  第二嵌合溝部
７ｃ  第一嵌合溝溝底片部
７ｄ  第二嵌合溝溝底片部
７ｅ  溝底部
１１  支持部材
１１ａ  跨部
１１ｂ  脚片部
１２補助部材
１３塞ぎ部材
１３ａ本体部
１３ｅ  ビス
Ｆ  床部
Ｈ  天井部
Ｗ  壁面部
【図１】
0006401571.tif 000002
【図２】
0006401571.tif 000003
【図３】
0006401571.tif 000004
【図４】
0006401571.tif 000005
【図５】
0006401571.tif 000006
【図６】
0006401571.tif 000007
【図７】
0006401571.tif 000008
【図８】
0006401571.tif 000009